(57)【要約】  本発明の態様によれば、非音声データをモバイル機器（図２Ａ）に供給する方法において、モバイル機器のユーザが基地局を経由する音声通話を終了させた後、モバイル機器と基地局との間の接続を維持するステップ（３４０）を含んでいる。接続が維持されている間、非音声データが受信される（３５０）。受信するステップを完了すると、モバイル機器と基地局との間の接続が切られる（３６０）。
2005510911.tif 000002
【特許請求の範囲】
【請求項１】
モバイル機器に非音声データを供給する方法であって、
モバイル機器のユーザが基地局を経由する音声通話を終了させた後、モバイル機器と基地局との間の接続を維持するステップ（３４０）と、
前記接続が維持されている間、非音声データを受信するステップ（３５０）と、
前記非音声データを受信するステップを完了すると、前記モバイル機器と基地局間の接続を切るステップ（３６０）と、から成る前記方法。
【請求項２】
非音声データが受信される度数に対応してユーザによる入力を受信するステップ（３３５）を更に含み、前記受信するステップが前記度数に従って実行される（３５０）、請求項１記載の方法。
【請求項３】
非音声データを受信する前記ステップの間、非音声データに含まれる項目の選択に対応してユーザによる入力を受信するステップ（３２５）を更に含み、且つ非音声データを受信する前記ステップが前記選択に従って実行される（３５０）、請求項１記載の方法。
【請求項４】
モバイル機器が携帯電話である、請求項１記載の方法。
【請求項５】
非音声データが、電子メール、株価情報、天気予報、ニュースのうちの少なくとも１つから成る、請求項１記載の方法。
【請求項６】
モバイル機器のユーザが特定の電話を掛けることにより非音声データが取得されるモバイル機器において、前記非音声データを自動的に取得する方法であって、
非音声データを音声通話の終りに追加する選択肢をユーザに与えるステップと、
ユーザが前記選択肢を選択すると、音声通話の終了時に前記非音声データを自動的に取得するステップ（３５０）と、から成る、前記方法。
【請求項７】
非音声データを取得する前記ステップが、
基地局を経由する音声通話をユーザが終了させた後、モバイル機器と基地局との間の接続を維持するステップ（３４０）と、
前記接続が維持されている間、非音声データを受信するステップ（３５０）と、
前記受信するステップの終了時に、前記モバイル機器と基地局との間の接続を切るステップ（３６０）と、から成る、請求項６記載の方法。
【請求項８】
非音声データが取得される度数に対応してユーザによる入力を受信するステップ（３３５）を更に含み、前記取得するステップが前記度数に従って実行される（３５０）、請求項６記載の方法。
【請求項９】
非音声データを取得する前記ステップの間、前記非音声データに含まれる項目の選択に対応してユーザによる入力を受信するステップ（３２５）を更に含み、前記取得するステップが前記選択に従って実行される（３５０）、請求項６記載の方法。
【請求項１０】
モバイル機器が携帯電話である、請求項６記載の方法。
【請求項１１】
非音声データが、電子メール、株価情報、天気予報、ニュースのうちの少なくとも１つから成る、請求項６記載の方法。
【請求項１２】
音声データと非音声データを受信するためのモバイル機器であって、
モバイル機器のユーザが基地局を経由する音声通話を終了させた後、前記モバイル機器と基地局との間の接続を維持する手段と、
前記接続が維持されている間、非音声データを受信する手段と、
前記非音声データを受信すると、前記モバイル機器と基地局間の接続を切る手段と、から成る、前記モバイル機器。
【請求項１３】
非音声データが受信される度数に対応して、ユーザによる入力を受信する手段を更に含み、前記受信する手段が前記度数に従って前記非音声データを受信する（２２０）、請求項１２記載のモバイル機器。
【請求項１４】
受信手段により受信される非音声データに含まれる項目の選択に対応してユーザによる入力を受信する手段を更に含み、受信手段が前記選択に従って前記非音声データを受信する、請求項１２記載のモバイル機器。
【請求項１５】
モバイル機器が携帯電話である、請求項１２記載のモバイル機器。
【請求項１６】
非音声データが電子メール、株価情報、天気予報、ニュースのうちの少なくとも１つから成る、請求項１２記載のモバイル機器。
【発明の詳細な説明】
【技術分野】
【０００１】
一般に、本発明は、移動通信に関し、特に、通話の設定／解除（ｃａｌｌ  ｓｅｔｕｐ／ｔｅａｒｄｏｗｎ）コストを最小限に抑える、モバイル機器（ｍｏｂｉｌｅ  ｄｅｖｉｃｅ）に非音声データを供給する方法および装置に関する。
【背景技術】
【０００２】
携帯電話のようなモバイル機器のユーザは、電子メール、株価、天気予報、ニュースなどの情報（以下、非音声データとも称す）を要求して見ることができる。この情報を要求しダウンロードするための電話（一般にセル状のネットワークを経由する）は通常、非常に短時間（ほんの数秒）で掛けられる。それにもかかわらず、このような通話を設定／解除（ｓｅｔ  ｕｐ／ｔｅａｒ  ｄｏｗｎ）するオーバヘッド・コストは非常に高い。その上、サービス・プロバイダは一般に分単位で請求するので、１秒間の通話を２５回すると２５分間に相当する通話料が課される。
【０００３】
従って、通話の設定／解除コストを最小限に抑えるモバイル機器に非音声データを与える方法および装置を具えることが望ましく、非常に有利である。  
【発明の開示】
【０００４】
（発明の概要）
上述の問題および他の関連する従来技術の問題は、通話の設定／解除コストを最小限にするモバイル機器に非音声データを供給する方法および装置である、本発明により解決される。
【０００５】
本発明によると、ユーザに選択肢を与える。ユーザは、電話で情報を要求する（一般に、インターネットのブラウザを使用する）ことにより、情報を得ることができる。他の選択肢として、ユーザは通話の終了時に送信されるデータベースの最新情報（電子メール、天気予報、株価、ニュースなど）を得ることができる。これは、ユーザが現在掛けている電話に僅か数秒間を追加するだけである。従って、ネットワークは追加的な通話を設定／解除するコストを節約することができ、分単位の端数が切り捨てられると、ユーザも料金を節約することができる。
【０００６】
本発明の実施態様によると、モバイル機器に非音声データを与える方法は、モバイル機器のユーザが基地局を経由する音声による通話を終了させた後、モバイル機器と基地局との間の接続を維持するステップを含んでいる。接続が維持されている間、非音声データが受信される。非音声データを受信するステップを完了すると、モバイル機器と基地局間の接続は切られる。
【０００７】
本発明のこれらの態様、およびその他の態様は、添付されている図面に関連して行われる好ましい実施例についての以下の詳細な説明から明らかとなる。
【発明を実施するための最良の形態】
【０００８】
本発明は、通話の設定／解除のコスを最小限に抑えるモバイル機器に非音声データを供給する方法および装置に向けられている。
【０００９】
本発明は、種々の形態のハードウェア、ファームウェア、特殊目的のプロセッサ、またはそれらを組み合せて実施されることを理解されたい。本発明は、ハードウェアとソフトウェアの組合せとして実施されることが好ましい。ソフトウェアは、プログラム記憶装置上で実行されるアプリケーション・プログラムとして実行されることが好ましい。アプリケーション・プログラムは、適当なアーキテクチャから成るマシンにアップロードされ、このマシンにより実行される。マシンは、１つまたはそれ以上の中央処理装置（ＣＰＵ）、ランダムアクセスメモリ（ＲＡＭ）、および入力／出力（Ｉ／Ｏ）インタフェースのようなハードウェアを有するコンピュータ・プラットフォーム上で実行されることが好ましい。コンピュータ・プラットフォームは、オペレーティング・システムとマイクロインストラクション・コード（ｃｏｄｅ）を含んでいる。この明細書中において説明する種々のプロセスと機能は、マイクロインストラクション・コードの一部であるか、またはオペレーティング・システムを介して実行されるアプリケーション・プログラム（またはそれらの組合せ）の一部である。その上、他の種々の周辺装置（追加的なデータ記憶装置およびプリンタなど）がコンピュータ・プラットフォームに接続される。
【００１０】
添付されている図面に示されているシステムの構成要素および方法のステップは、ソフトウェアで実行されることが好ましいので、システムの構成要素（またはプロセスのステップ）間の接続は、本発明がプログラムされる方法に依り異なる。この明細書中の開示を与えられるならば、当業者は本発明およびこれと同様な構成を創案することができるであろう。
【００１１】
図１は、実施例に従って本発明が利用されるコンピュータ処理システム１００のブロック図である。コンピュータ処理システム１００は、システム・バス１０４を介して他の構成要素に結合される少なくとも１つの処理装置（ＣＰＵ）１０２を含んでいる。リードオンリメモリ（ＲＯＭ）１０６、ランダムアクセスメモリ（ＲＡＭ）１０８、ディスプレイ・アダプタ１１０、Ｉ／Ｏアダプタ１１２、ユーザ・インタフェース・アダプタ１１４はシステム・バス１０４に結合されている。
【００１２】
ディスプレイ装置１１６は、ディスプレイ・アダプタ１１０により、システム・バス１０４に結合される。ディスク記憶装置（例えば、磁気ディスクまたは光学ディスク記憶装置）１１８はＩ／Ｏアダプタ１１２によりシステム・バス１０４に結合される。
【００１３】
マウス１２０とキーボード１２２は、ユーザ・インタフェース・アダプタ１１４により、システム・バス１０４に結合される。マウス１２０とキーボード１２２は、コンピュータ処理システム１００に情報を入力／出力するために使用される。
【００１４】
図２Ａは、本発明の実施例に従って本発明が利用される通信システム２００を説明するブロック図である。図２Ｂは、本発明の実施例に従って本発明が利用される別の通信システム２５０を説明するブロック図である。
【００１５】
通信システム２００／２９９の構成要素の多くは、それと統合されるコンピュータ処理システムを有することが理解されよう。このようなコンピュータ処理システムは、図１に示すものと同じかまたは同様なものである（同じかまたは同様な要素を有する）ことが好ましい。しかしながら、本発明の精神と範囲を維持しながら、別の形式のコンピュータ処理システムも当業者により容易に使用することができる。
【００１６】
通信システム２００は、通信路（ｐａｔｈ）を含み、ユーザのモバイル機器（ｍｏｂｉｌｅ  ｄｅｖｉｃｅ）２１０、基地局２２０、セル状のネットワーク２３０、ランドライン（地上通信線）電話ネットワーク２４０、およびランドライン電話機２８０等で形成される。セル状ネットワーク２３０は１つまたはそれ以上のデータベース２５０に結合される。データベース２５０はネットワーク２６０に結合され、ネットワーク２６０は種々の情報源２７０に結合される。
【００１７】
種々の情報源２７０には、複数のデータベース（データベース２５０以外の）などを含むことが理解される。更に、ネットワーク２６０自体にも情報源が含まれる。本発明の好ましい実施例において、ネットワーク２６０はインターネットである。
【００１８】
通信システム２９９は通信路を含み、ユーザのモバイル機器２２０、基地局２１０、セル状のネットワーク２３０、別の基地局２４５、および別のモバイル機器２８５で形成される。セル状のネットワーク２３０は１つまたはそれ以上のデータベース２５０に結合される。データベース２５０はネットワーク２６０に結合され、ネットワーク２６０は種々の情報源２７０に結合される。
【００１９】
図３は、本発明の実施例に従って、例えば、ユーザのモバイル機器２２０に非音声データを供給する方法を説明するフローチャートである。モバイル機器２２０（例えば、携帯電話）は非音声データ（例えば、電子メール、株価、天気予報、ニュース、その他の情報）を受信する機能を有するものとする。
【００２０】
ユーザは非音声データを受信するために２つの選択肢を与えられる（ステップ３０５）。第１の選択肢は、非音声データを受信するために普通に行われているものである。ユーザは最新の情報を得るだけの目的で電話を掛ける。例えば、新しい株価情報を得るために、モバイル機器２２０のインターネット・ブラウザで新しく電話を掛ける。
【００２１】
第２の選択肢として、音声による通話が終了すると、ユーザは非音声データを自動的に受信する。
【００２２】
ユーザが第１の選択肢を選択するか第２の選択肢を選択するかに対応して、ユーザによる第１の入力が受信される（ステップ３１０）。
【００２３】
ステップ３１０で受信された、ユーザによる第１の入力基づいて、ユーザが第１の選択肢を選択したのか、それとも第２の選択肢を選択したのかが判定される（ステップ３１５）。もし第１の選択肢をユーザが選択したならば、この方法はここで終了する。
【００２４】
しかしながら、もし第２の選択肢をユーザが選択したならば、ユーザは、受信しようとする非音声データに含まれる項目を選択するように要求される（ステップ３２０）。選択される項目は、ユーザに示される複数の項目（例えば、ユーザは電子メールと最新の株価情報を希望し、天気予報には興味がないかも知れない）の中から選択される。選択された項目に対応する、ユーザによる第２の入力が受信される（ステップ３２５）。
【００２５】
ユーザは、非音声データが受信される度数（ｆｒｅｑｕｅｎｃｙ：頻度、回数）を選択するよう要求される（ステップ３３０）。選択された度数に対応して、ユーザによる第３の入力が受信される（ステップ３３５）。
【００２６】
ユーザのモバイル機器２２０で受信された（または、掛けられた）音声通話の終了後、音声通話が送られた基地局２１０とモバイル機器２２０間の接続が維持される（ステップ３４０）。この通話は、例えば、ランドライン（地上線）電話機２８０または別のモバイル機器２８５に、またはランドライン電話機２８０または別のモバイル機器２８５からすることもできる。
【００２７】
次に、ユーザによる第２の入力（選択された項目）およびユーザによる第３の入力（度数）に基づいて、非音声データが受信されるのかどうかが判断される（ステップ３４５）。もし非音声データが受信されなければ、この方法は終了する。もし受信されるならば、非音声データは、ユーザによる第２の入力とユーザによる第３の入力に従って受信される（ステップ３５０）。モバイル機器２２０と基地局２１０との接続が切られる（ステップ３６０）。モバイル機器２２０は自由に新しく電話を掛ける／電話を受けることができる。
【００２８】
実施例は、添付されている図面に関して説明されているが、本発明はこれらの実施例に限定されず、本発明の範囲と精神から離れることなく、他の種々の変更および変形が当業者により行われ得ることが理解される。このような変更並びに変形は特許請求の範囲で定められる本発明の範囲内に含まれる。
【図面の簡単な説明】
【００２９】
【図１】実施例に従って、本発明が利用することができるコンピュータ処理システム１００のブロック図である。
【図２Ａ】本発明の実施例に従って、本発明が利用することができる通信システムを例示するブロック図である。
【図２Ｂ】本発明の別の実施例に従って、本発明が利用することができる別の通信システムを例示するブロック図である。
【図３】本発明の実施例に従って、モバイル機器に非音声データを供給する方法を例示するフローチャートである。
【図１】
2005510911.tif 000003
【図２Ａ】
2005510911.tif 000004
【図２Ｂ】
2005510911.tif 000005
【図３】
2005510911.tif 000006
【国際調査報告】
2005510911.tif 000007
2005510911.tif 000008